(57)【特許請求の範囲】
【請求項１】
車室内に設置される車載用アナログ時計において、
ガラス板を設けた前ケースと、裏ケースとの間の空間に、裏ケース側から順に、ムーブメント、回路基板、導光板、円形状の文字板、及び時分針などの指針を備え、
前記回路基板には、前記導光板に向けて光を照射するＬＥＤを複数配置し、
前記導光板は、前記ＬＥＤからの光を当該導光板に導入する導入部と、円板状本体部と、前記文字板の周縁に位置して正面側へ突出するリング状突出部とを備え、
前記導光板の前記円板状本体部と前記指針とを平行に設け、
前記導光板に対向する箇所の前記回路基板に反射板を設け、
前記ＬＥＤに対向する前記導入部の反対側の前記導光板には、前記ＬＥＤからの光の全部又は一部を反射させることが可能な面を備えた凹部が設けられており、
前記ＬＥＤが発光すると、その光が前記導光板の前記導入部から導入されて前記リング状突出部から導出され、これにより前記指針が発光して見えるように構成されていることを特徴とする車載用アナログ時計の照明光構造。
【請求項２】
前記凹部は、円錐状を呈するものであって、この凹部は、前記ＬＥＤの方向に位置する頂点と、前記ＬＥＤとは反対の方向に拡開形成された円錐面とを備えることを特徴とする請求項１記載の車載用アナログ時計の照明光構造。
【請求項３】
前記文字板は、光を通過しない無透過タイプのものであることを特徴とする請求項１記載の車載用アナログ時計の照明光構造。
【請求項４】
前記文字板は、光を通過する透過タイプのものであることを特徴とする請求項１記載の車載用アナログ時計の照明光構造。
【発明の詳細な説明】
【技術分野】
【０００１】
本発明は、時計の指針が間接照明される形式の車載用アナログ時計の照明光構造に関する。
【背景技術】
【０００２】
本願出願人は、発光装置を用いて、時計の指針や文字板を照明する車載用アナログ時計を提案した（特許文献１）。近時においては、この発光装置にＬＥＤを用いるものが知られている。
【先行技術文献】
【特許文献】
【０００３】
【特許文献１】実公平７−４７７５９号公報
【発明の概要】
【発明が解決しようとする課題】
【０００４】
上記のＬＥＤを用いた車載用アナログ時計は、一般にＬＥＤを文字板の外周端（見返し）に配置して、光を文字板の中央部分に投光するものである。
【０００５】
このような従来の車載用アナログ時計は、外周側から指針や文字板を投光するので、照明される箇所の輝度が場所により異なることがあった。
【０００６】
本発明は、上記事情に鑑みてなされたもので、ＬＥＤを用いるとともに、これに導光板を介在させて、指針などを間接照明することにより、照明される箇所の輝度を可及的に平均化することができる車載用アナログ時計の照明光構造を提案するものである。
【課題を解決するための手段】
【０００７】
本願第１請求項に記載した発明は、実施例で用いた符号を付して記すと、車室内に設置される車載用アナログ時計１において、
ガラス板３を設けた前ケース２と、裏ケース４との間の空間に、裏ケース側から順に、ムーブメント５、回路基板６、導光板８、円形状の文字板９、及び時分針などの指針１０，１０を備え、
回路基板６には、導光板８に向けて光を照射するＬＥＤ７，７を複数配置し、
導光板８は、ＬＥＤ７，７からの光を当該導光板に導入する導入部８ａと、円板状本体部８ｃと、文字板９の周縁に位置して正面側へ突出するリング状突出部８ｂとを備え、
導光板８の円板状本体部８ｃと指針１０，１０とを平行に設け、
導光板８に対向する箇所の回路基板６に反射板１８を設け、
ＬＥＤ７に対向する導入部８ａの反対側の導光板８には、ＬＥＤ７からの光の全部又は一部を反射させることが可能な面を備えた凹部８０が設けられており、
ＬＥＤ７，７が発光すると、その光が導光板８の前記導入部８ａから導入されてリング状突出部８ｂから導出され、これにより指針１０が発光して見えるように構成されていることを特徴とする車載用アナログ時計の照明光構造である。
【０００８】
本願第２請求項に記載した発明は、請求項１において、凹部８０は、円錐状を呈するものであって、この凹部８０は、前記ＬＥＤ７の方向に位置する頂点８１と、ＬＥＤ７とは反対の方向に拡開形成された円錐面８２とを備えることを特徴とする請求項１記載の車載用アナログ時計の照明光構造である。
【０００９】
本願第３請求項に記載した発明は、請求項１において、文字板９は、光を通過しない無透過タイプのものであることを特徴とする車載用アナログ時計の照明光構造である。
【００１０】
本願第４請求項に記載した発明は、請求項１において、文字板９は、光を通過する透過タイプのものであることを特徴とする車載用アナログ時計の照明光構造である。
【発明の効果】
【００１２】
本願第１請求項に記載した発明によれば、回路基板６に設けられたＬＥＤ７，７から導光板８に向けて光が照射され、この光は導光板８の導入部８ａに導入されて、リング状突出部８ｂから導出され、この光が指針１０の反射部１０ａで正面側へ反射されるとともに、このリング状突出部８ｂから導出された光が文字板９も照明する。このようにして、指針及び文字板が間接照明される。そして、この間接照明は、導光板８のリング状突出部８ｂから導出された光により行われるので、文字板９の周縁から均一になされて、照明される箇所の輝度を可及的に平均化することができ、視認性の向上を図ることができる。また、導光板８に対向する箇所の回路基板６に反射板１８を設けたので、導光板８から漏洩する光は反射板１８で反射して、再び導光板８に導入されることとなり、導光板８における導光量の損失を可及的に低減することが可能となる。
【００１３】
更に、ＬＥＤ７に対向する導入部８ａの反対側の導光板８には、ＬＥＤ７からの光の全部又は一部を反射させることが可能な面を備えた凹部８０が設けられていて、導入部８ａに導入された光は凹部８０の面で反射するので、光の反射量が増えるとともに、その反射による光の拡散がより多くなされ、導光板８の内部における導光のムラが少なくなる。
【００１４】
本願第２請求項に記載した発明によれば、凹部８０は、円錐状のものであり、ＬＥＤ７の方向に位置する頂点８１と、ＬＥＤ７とは反対の方向に拡開形成された円錐面８２とを備えていて、導入部８ａに導入された光は円錐面８２で反射するので、光の反射量が増えるとともに、その反射による光の拡散がより一層多くなされ、導光板８の内部における導光のムラが少なくなる。
【００１５】
また、円錐面８２で反射する光は多方向に拡散されるので、反射によるジグザグの光路によって透過照明光を増すことも可能となる。これにより、従来用いていた拡散用のシボ加工などを不要にすることもできる。
【００１６】
更に、凹部８０の設置位置を適宜選択したり、凹部８０の大きさや形状を適当に形成する（例えば、凹部８０の径φｄを変える）などして、ＬＥＤ７と凹部８０間の間隔を変えることにより、間接光と透過照明光のバランスを調整することも可能になる。
【００１７】
本願第３請求項に記載した発明によれば、文字板９は、光を通過しない無透過タイプのものであるから、指針１０及び文字板９は双方とも、導光板８のリング状突出部８ｂから導出された光による間接照明がなされる。
【００１８】
本願第４請求項に記載した発明によれば、文字板９は、光を通過する透過タイプのものであるから、指針１０は、導光板８のリング状突出部８ｂから導出された光による間接照明がなされる一方で、文字板９は、直接、導光板８からの透過照明がなされ得る。このように、文字板９が直接、導光板８からの透過照明がなされ得る場合は、例えば、文字板の指標に相応する箇所を適宜の色彩で透過照明可能とし、それ以外の箇所は黒色印刷で覆うなどすれば、指標をより一層際立たせることが可能となる。
【００２０】
このように、本願発明によれば、ＬＥＤに導光板を介在させて、指針などを間接照明することにより、照明される箇所の輝度を可及的に平均化することができて、視認性の向上を図ることができる。また、文字板のみを、無透過タイプ又は透過タイプのものを選択することにより、基本的な光の導光構造を変えずに、間接照明の方式と、間接照明に透過照明を加えた方式の２方式を、適宜実現できるといった利便性も有するものである。
【図面の簡単な説明】
【００２１】
【図１】本発明の実施例に係り、車載用アナログ時計の正面図である。
【図２】本発明の実施例に係り、図１のＸ-Ｘ線断面図である。
【図３】本発明の実施例に係り、車載用アナログ時計の分解斜視図である。
【図４】本発明の実施例に係り、回路基板を示す図である。
【図５】本発明の実施例に係り、車載用アナログ時計の要部断面図である。
【図６】本発明の実施例に係り、車載用アナログ時計の照明時における正面図である。
【図７】本発明の実施例に係り、車載用アナログ時計の他の例を示す要部断面図である。
【図８】本発明の実施例に係り、車載用アナログ時計の要部断面図である。
【図９】本発明の実施例に係り、車載用アナログ時計の要部断面図である。
【発明を実施するための形態】
【００２２】
以下に、本発明の実施例を図面に基づいて説明する。本例の車載用アナログ時計１は、図１〜図３に示すように、ガラス板３を設けた前ケース２と、裏ケース４との間の空間に、裏ケース側から順に、ムーブメント５、回路基板６、導光板８、円形状の文字板９、及び時分針などの指針１０，１０を備える。
【００２３】
回路基板６には、導光板８に向けて光を照射するＬＥＤ７，７を複数配置している。この例では、図４に示すように、回路基板の中央に４個のＬＥＤ７，７を均等に配置している。
【００２４】
導光板８は、ＬＥＤ７，７からの光を当該導光板に導入する導入部８ａと、文字板９の周縁に位置して正面側へ突出するリング状突出部８ｂを備える。この例では、文字板９は、光を通過しない無透過タイプのものを用いている。尚、図中、８ｄは導光板８の脚部である。この脚部８ｄは、回路基板６の切り欠き部を挿通して位置決めされた後、裏ケース４の背面から挿入したタッピンねじ１７（図３参照）により、固定される。
【００２５】
前記導光板８は、導入部８ａから導入された光が、円板状本体部８ｃの表裏面に設けられた乱反射手段により乱反射してリング状突出部８ｂから放射されるものである。
【００２６】
尚、乱反射手段としては、例えば、射出成形にて導光板と一体に成形された球面、円錐、角錐、角柱、又は円筒型の微細凸状の反射ドットを分布してなるものを用いる。これらの分布に関しては、乱反射する光が比較的強い部位では反射ドットの占める面積を疎に設定し、また、乱反射する光が比較的弱い部位では反射ドットの占める面積を密に設定する。更に、シボ処理による乱反射構造、インクや塗料等の印刷や、これらを複合した構造を用いることができる。
【００２７】
更に、図８に示す例のものでは、ＬＥＤ７に対向する導入部８ａの反対側の導光板８に、ＬＥＤ７からの光の全部又は一部を反射させることが可能な面を備えた凹部８０が設けられている。この例では、凹部８０は、円錐状のものであって、前記ＬＥＤ７の方向に位置する頂点８１と、ＬＥＤ７とは反対の方向に拡開形成された円錐面８２とを備えている。
【００２８】
このように、導光板８に反射可能な面を備えた凹部８０、とりわけ円錐状の凹部８０が設けられていると、導入部８ａに導入された光は円錐面８２で反射するので、光の反射量が増えるとともに、その反射による光の拡散もがより多くなされ、導光板８の内部における導光のムラが少なくなる。
【００２９】
また、円錐面８２で反射する光は多方向に拡散されるので、反射によるジグザグの光路によって透過照明光を増すことも可能となる。これにより、従来用いていた拡散用のシボ加工などを不要にして、製造の省力化を図ることもできる。
【００３０】
更に、凹部８０の設置位置を適宜選択したり、例えば図９に示すように、凹部８０の径φｄを変えて、凹部８０の大きさを適宜に形成したり、凹部８０の位置を変えるなどして、ＬＥＤ７と凹部８０間の間隔を変えることにより、間接光と透過照明光のバランスを調整することも可能になる。
【００３１】
指針１０は、反射部材で形成されるとともに、指針の側部には光を正面側へ反射させる反射部１０ａを備える。このように反射部１０ａを備えていると、この反射部１０ａによって光が正面側へ反射して、指針が発光して見えるので、照明度を向上させることができる。
【００３２】
上記のように構成される本例の車載用アナログ時計１は、ＬＥＤ７，７が発光すると、その光が導光板８の導入部８ａから導入されてリング状突出部８ｂから導出され、これにより指針１０の反射部１０ａで光が反射して、当該指針が発光して見える。尚、本例では、回路基板の中央に４個のＬＥＤ７，７を均等に配置したが、車載用アナログ時計１が比較的小型である場合は、これより少なく、例えば２個のＬＥＤ７，７であってもよい。
【００３３】
また、本例の車載用アナログ時計１では、文字板９は、光を通過しない無透過タイプのものを用いている。そのため、指針１０及び文字板９は双方とも、導光板８のリング状突出部８ｂから導出された光による間接照明がなされる。
【００３４】
尚、この場合、文字板９は、導光板８との間に、例えば両面テープを介在させることにより、固着の簡易化がなされ得る。従って、後記する文字板押え１１は用いなくてもよい。
【００３５】
一方、図７に示すものは、文字板９に、光を通過する透過タイプのものを用いている。この場合、指針１０は、導光板８のリング状突出部８ｂから導出された光による間接照明がなされる一方で、文字板９は、直接、導光板８からの透過照明がなされ得る。このように、文字板９が直接、導光板８からの透過照明がなされ得る場合は、例えば、文字板の指標に相応する箇所を適宜の色彩で透過照明可能とし、それ以外の箇所は黒色印刷で覆うなどすれば、指標をより一層際立たせることが可能となる。
【００３６】
更に、図７に示す例の場合は、導光板８に対向する箇所の回路基板６に反射板１８を設けている。このように反射板１８を設けると、導光板８から漏洩する光は反射板１８で反射して、再び導光板８に導入されることとなり、導光板８における導光量の損失を可及的に低減することが可能となる。尚、反射板１８は、上述した回路基板６のみならず、導光板８の文字板９に面した側やその他、適宜な個所に設けてもよい。
【００３７】
従って、文字板９を、無透過タイプ又は透過タイプのものを選択することにより、基本的な光の導光構造を変えずに、間接照明の方式と、間接照明に透過照明を加えた方式の２方式を、適宜実現することができる。
【００３８】
図３及び、図７に示す例において、図中１１は文字板押えであり、文字板９を導光板８に固定するためのものである。この文字板押え１１には、下部に４個のボス１１ａを設けている。ボス１１ａは、導光板８の円板状本体部８ｃに、熱或いは超音波により融着される。このように、ボス１１ａを用いて融着するのは、例えばボス１１ａではなく爪で係止すると、固定強度の点で若干弱かったり、爪の箇所で光が乱反射する不具合があるので、これを回避するためである。
【００３９】
更に、図３において、図中１２は中心キャップで、導光板８の円板状本体部８ｃを挿通される指針のシャフトを外嵌して保持している。これは、シャフトが長いので、これに固着される指針１０の倒れを押えるとともに、光源（ＬＥＤ７，７）が近いので、このキャップで光漏れの封止を行うものである。また、図中１３は見返し、１５はガラス板の押え用テープ、１６はゴミ防止用クッションである。
【産業上の利用可能性】
【００４０】
本発明の車載用アナログ時計の照明光構造は、指針などを間接照明することにより、照明される箇所の輝度を可及的に平均化することができ、あらゆる車種のものに好適に利用することができる。
【符号の説明】
【００４１】
１    車載用アナログ時計
２    前ケース
３    ガラス板
４    裏ケース
５    ムーブメント
６    回路基板
７    ＬＥＤ
８    導光板
８ａ    導入部
８ｂ    リング状突出部
８ｃ    円板状本体部
８ｄ    脚部
９    文字板
１０    指針
１０ａ    反射部
１１    文字板押え
１１ａ    ボス
１２    中心キャップ
１３    見返し
１５    ガラス固定用テープ
１６    ゴミ防止用クッション
１７    タッピンねじ
１８    反射板
８０    凹部
８１    頂点
８２    円錐面
【図１】
0006261495.tif 000002
【図２】
0006261495.tif 000003
【図３】
0006261495.tif 000004
【図４】
0006261495.tif 000005
【図５】
0006261495.tif 000006
【図６】
0006261495.tif 000007
【図７】
0006261495.tif 000008
【図８】
0006261495.tif 000009
【図９】
0006261495.tif 000010